(57)【特許請求の範囲】
【請求項１】
隣接する床材の端面間に目地を設けるために、前記床材の端面間に介在させる第１の差込み片と、
床材の表面に載置可能な下面と少なくとも１つの側辺とを有する本体と、を備え、
前記第１の差込み片と前記本体の下面の成す角が鈍角となるように、前記第１の差込み片が前記本体の側辺から下方に向かって突設されており、
前記本体には、本体の下面を床面の表面に載置した状態で上方に起立する取っ手部が設けられていることを特徴とする床材の目地調整具。
【請求項２】
隣接する床材の端面間に目地を設けるために、前記床材の端面間に介在させる第１の差込み片と、
床材の表面に載置可能な下面を有する本体と、を備え、
前記本体には、上方に起立した取っ手部が設けられ、前記本体の第１側辺と前記取っ手部の第１側辺が連設されており、
前記第１の差込み片と前記本体の下面の成す角が鈍角となるように、前記第１の差込み片が前記本体の第１側辺から又は第１側辺に対向する第２側辺から本体の下方に向かって突設されていることを特徴とする床材の目地調整具。
【請求項３】
床材の端面と壁面の間に目地を設けるために、前記取っ手部の第１側辺に対向する第２側辺から第２の差込み片が突設されている請求項２に記載の床材の目地調整具。
【請求項４】
前記第２の差込み片の厚みが、前記第１の差込み片の厚みよりも大きい請求項３に記載の床材の目地調整具。
【請求項５】
前記第１の差込み片の厚みが０．０５ｍｍ〜０．３ｍｍである請求項１乃至４の何れか一項に記載の床材の目地調整具。
【請求項６】
前記第１の差込み片と前記本体の下面の成す角が、９０度を超え１１０度以下である請求項１乃至５の何れか一項に記載の床材の目地調整具。
【発明の詳細な説明】
【技術分野】
【０００１】
本発明は、床材を敷設する際に床材間に目地を設けるために使用される床材の目地調整具に関する。
【背景技術】
【０００２】
床材を部屋などの下地面に施工する場合、床材の端面同士を突き合わせながら敷設し、さらに、壁面付近の床材については、床材の端面を壁面に突き合わせて敷設する。
しかしながら、床材の中には熱や湿気などによって僅かに伸張するものがあり、このような床材を上記のように端面同士を突き合わせて敷設すると、経時的に床材同士が継ぎ目において浮き上がるという問題がある。
【０００３】
このため、上記のような床材においては、隣接する床材の端面間に又は床材の端面と壁面の間に目地を確保しながら敷設することが好ましい。しかし、この目地の幅が広すぎると、床材施工後に目地が目立って外観が低下する上、その目地にゴミなどが溜まるといった不具合が発生する。特に、樹脂製床タイルのような樹脂製床材においては、木質系などの他の床材に比べて厚みが薄いので、目地の幅が広すぎると目立ち、逆にこれが狭すぎると浮き上がりが生じやすい。このことから、樹脂製床材において、現実的には、目地の幅は０．１ｍｍ〜０．５ｍｍのような僅かな幅に設定される。
このような僅かな幅の目地を物差しで測りながら床材を敷設することは、現実的には困難である。
【０００４】
特許文献１には、木質基材の防音床材の施工するために２つの平板の側辺同士を直交させて連設した略Ｌ字状の目隙設定用治具（目地調整具に相当）を用いる方法が開示されている。この２つの平板からなる略Ｌ字状の目地調整具の一方の平板を床材の表面に載置すると共に、他方の平板（差込み片に相当）を隣接する床材の端面間に介在させることにより、前記差込み片の厚みに対応した目地を床材の端面間に確保できる。
【０００５】
しかしながら、この目地調整具の使用時には、一方の平板が床材の表面に密着し且つ差込み片が床材の端面間に挟持されているので、目地調整具を簡単に床材から取り外すことができないという問題点がある。
特に、樹脂製床材を施工する場合には、上述のように目地幅が極めて僅かな幅に設定される場合が多い上、樹脂製床材の弾性変化によって差込み片が強く挟持されるので、目地調整具の取り外しがさらに困難となる。
【０００６】
また、特許文献１の目地調整具の差込み片を端面間に介在させて床材を突き合わせた場合、当該床材の押し込み量が強過ぎると、床材の端面が前記差込み片の厚み分を吸収するように弾性変形する場合がある。この状態で目地調整具を取り外しても、床材の端面間に上記のような僅かな幅の目地を確保できない。他方、床材の端面が変形しないように、床材の押し込み量を施工者が調整することは困難である。このような弾性変形は、木質床材に比べて樹脂製床材、特に薄型の樹脂床タイルで顕著である。
従って、木質基材に用いる目地調整具を樹脂製床材の施工に流用することは困難である。
また、床材の目地調整具は、あらゆる施工者が簡単に且つ間違うことなく使えるような構造であることが求められる。
【先行技術文献】
【特許文献】
【０００７】
【特許文献１】特開２０００−２７４１０号公報
【発明の概要】
【発明が解決しようとする課題】
【０００８】
本発明の第１の目的は、床材の端面間に目地を設けることができ且つ床材から簡単に取り外すことができる床材の目地調整具を提供することである。
本発明の第２の目的は、簡易な構造でありながら、所定幅の目地を簡単に設けることができる床材の目地調整具を提供することである。
【課題を解決するための手段】
【０００９】
本発明の床材の目地調整具は、  隣接する床材の端面間に目地を設けるために、前記床材の端面間に介在させる第１の差込み片と、床材の表面に載置可能な下面と少なくとも１つの側辺とを有する本体と、を備え、前記第１の差込み片と前記本体の下面の成す角が鈍角となるように、前記第１の差込み片が前記本体の側辺から下方に向かって突設されており、前記本体には、本体の下面を床面の表面に載置した状態で上方に起立する取っ手部が設けられている。
【００１０】
本発明の床材の目地調整具は、隣接する床材の端面間に目地を設けるために、前記床材の端面間に介在させる第１の差込み片と、床材の表面に載置可能な下面を有する本体と、を備え、前記本体には、上方に起立した取っ手部が設けられ、前記本体の第１側辺と前記取っ手部の第１側辺が連設されており、前記第１の差込み片と前記本体の下面の成す角が鈍角となるように、前記第１の差込み片が前記本体の第１側辺から又は第１側辺に対向する第２側辺から本体の下方に向かって突設されている。
【００１１】
本発明の好ましい床材の目地調整具は、床材の端面と壁面の間に目地を設けるために、前記取っ手部の第１側辺に対向する第２側辺から第２の差込み片が突設されている。
【００１２】
本発明の他の好ましい床材の目地調整具は、前記第２の差込み片の厚みが、前記第１の差込み片の厚みよりも大きい。
本発明の他の好ましい床材の目地調整具は、前記第１の差込み片の厚みが０．０５ｍｍ〜０．３ｍｍである。
本発明の他の好ましい床材の目地調整具は、前記第１の差込み片と前記本体の下面の成す角が、９０度を超え１１０度以下である。
【発明の効果】
【００１３】
本発明の床材の目地調整具を使用すれば、床材の端面間の目地を簡単に設けることができ、さらに、目地を設けた後には、目地調整具を床材から簡単に取り外すことができる。
また、本発明の床材の目地調整具は、床材の押し込み過ぎを目視によって確認できるので、熟練者でない施工者でも所定幅の目地を簡単に且つ確実に設けることができる。
さらに、この目地調整具は、簡易な構造であるため、その使用方法も簡便であり、又、安価でもある。
【図面の簡単な説明】
【００１４】
【図１】本発明の１つの実施形態の目地調整具の側面図。
【図２】同正面図。ただし、中央部を省略している。
【図３】目地調整具を用いて床材の端面間に目地を設けるときの施工例を示す参考斜視図。
【図４】図３のＩＶ−ＩＶ線断面図。
【図５】床材を押し込み過ぎたときに目地調整具の本体が浮き上がった状態を示す参考側面図。
【図６】目地調整具を用いて床材の端面と壁面の間に目地を設けるときの施工例を示す参考斜視図。
【図７】図６のＶＩＩ−ＶＩＩ線断面図。
【図８】壁面の残部領域に適合する床材片を形成するときの施工例を示す参考側面図。
【図９】他の実施形態の目地調整具の側面図。
【図１０】更なる他の実施形態の目地調整具の側面図。
【図１１】更なる他の実施形態の目地調整具の側面図。
【図１２】更なる他の実施形態の目地調整具の側面図。
【図１３】更なる他の実施形態の目地調整具の側面図。
【図１４】更なる他の実施形態の目地調整具の側面図。
【発明を実施するための形態】
【００１５】
以下、本発明について図面を参照しつつ説明する。
なお、目地調整具の本体の下面を床材の表面に載置した状態を基準にして、「上」及び「下」という方向性を示す用語を使用する。
【００１６】
図１及び図２において、１は、隣接する床材の端面間に目地を設けるために、前記床材の端面間に介在させる差込み片５１と、床材の表面に載置可能な下面２ａ及び少なくとも１つの側辺を有する本体２と、を備える目地調整具を示す。
なお、本発明の目地調整具１は、後述するように床材の端面間に目地を設けるためだけでなく、床材の端面と壁面の間に目地を設けるためにも使用できる。この場合、目地調整具１の差込み片は、床材の端面間だけでなく、床材の端面と壁面の間にも介在される。
そして、目地調整具１の本体２には、本体２の下面２ａを床面の表面に載置した状態で上方に起立する取っ手部３が設けられている。
【００１７】
本実施形態の目地調整具１は、本体２及び取っ手部３がそれぞれ平面視矩形状に形成されている。なお、平面視矩形状とは、本体２の下面２ａ及び取っ手部３の正面３ａを各々その法線方向から見たときの形状をいう。
この本体２の下面２ａに対して取っ手部３が略直交して起立するように、本体２の第１側辺２１と取っ手部３の第１側辺３１とが連設されている。従って、本体２と取っ手部３は、図１に示すように略Ｌ字状に連設されている。
【００１８】
前記本体２及び取っ手部３は、剛性のある矩形状の平板から構成されている。従って、少なくとも本体２の下面２ａ及び取っ手部３の正面３ａは平坦状とされている。
本体２及び取っ手部３の厚みは、それらが容易に変形しないような剛性を有している限り特に限定されず、例えば、０．５ｍｍ〜１０ｍｍ程度が例示される。形成材料として比較的剛性の高い合成樹脂や金属を用いた場合には、本体２及び取っ手部３の厚みを０．５ｍｍ〜１．５ｍｍとすることもでき、このような比較的薄い目地調整具１は、軽くて取扱いに優れる。
【００１９】
本体２の上面２ｂと取っ手部３の背面３ｂの成す角は、特に限定されず、鈍角、直角又は鋭角の何れでもよい。本実施形態では、本体２の上面２ｂと取っ手部３の背面３ｂの成す角は、鋭角とされ、好ましくは７０度以上９０度未満とされ、より好ましくは８０度以上９０度未満とされている。
【００２０】
本体２の側辺方向長さ２Ｌ及び取っ手部３の側辺方向長さ３Ｌは、特に限定されないが、これらが余りに短いと、本体２の下面２ａを床材の表面に載置したときに安定性が悪くなり、一方、これらが余りに長いと、床材から目地調整具１がはみ出る虞があるので、例えば３０ｍｍ〜２００ｍｍ程度が好ましい。
本体２の側辺方向長さ２Ｌ及び取っ手部３の側辺方向長さ３Ｌは、図２に示すように、同じ長さでもよいし、或いは、何れか一方の側辺方向長さが他方よりも短くてもよい。
【００２１】
また、側辺方向長さが異なる複数の目地調整具を用いると、さらに施工効率が向上する。具体的には、例えば、側辺方向長さが３０ｍｍ〜５０ｍｍ程度の比較的短い目地調整具と、側辺方向長さが１００ｍｍ〜２００ｍｍ程度の比較的長い目地調整具と、を準備する。この短い目地調整具を、短くカットされた床材片を壁面の残部領域に敷設する際、前記床材片の端面と壁面の間の目地を設けるために使用すれば、床材片の側部から目地調整具がはみ出さない。一方、長い目地調整具を、通常の床材の端面間の目地を設けるために使用すれば、目地調整具を安定的に床材上に載置できる。このように辺方向長さが異なる複数の目地調整具を用いると、床材の施工を効率良く行うことができる。
【００２２】
側辺方向と直交する方向における本体２の長さ２Ｗは、特に限定されないが、これが余りに短いと、床材の表面に載置したときに安定性が悪くなる上、壁面と床材の端面の目地を調整するために目地調整具１を使用したときに本体２が摘み難く、一方、これが余りに長いと、取扱い性が悪くなる。これらを考慮すると、前記長さ２Ｗは、例えば２０ｍｍ〜５０ｍｍ程度が好ましい。
側辺方向と直交する方向における取っ手部３の長さ３Ｗは、特に限定されないが、これが余りに短いと、取っ手部３が摘み難くなり、一方、これが余りに長いと、取扱い性が悪くなるので、例えば１０ｍｍ〜３０ｍｍ程度が好ましい。
【００２３】
本実施形態の目地調整具１は、別個独立した２つの差込み片５１，５２を有する。以下、第１の差込み片５１及び第２の差込み片５２という。
第１の差込み片５１は、隣接する床材の端面間に差し込まれる部分であり、第２の差込み片５２は、床材の端面と壁面の間に差し込まれる部分である。
第１の差込み片５１及び第２の差込み片５２は、所定幅の細長い帯板部から構成されている。
【００２４】
第１の差込み片５１は、本体２の側辺方向に延び、且つ本体２の第１側辺２１から下方に向かって突設されている。従って、第１の差込み片５１は、その基部が本体２の第１側辺２１に連設され、且つその基部から先端部までが本体２の下面２ａに対してその法線方向に突出している。
第２の差込み片５２は、取っ手部３の側辺方向に延び、且つ取っ手部３の第２側辺３２から取っ手部３の正面３ａと反対方向に向かって突設されている。第２の差込み片５２は、その基部が取っ手部３の第２側辺３２に連設されている。なお、第２の差込み片５２は、本体２の下面２ａと平行に突出しており、従って、第２の差込み片５２は、取っ手部３の正面３ａに対して鋭角状に突出している。
なお、取っ手部３の第２側辺３２とは、取っ手部３の第１側辺３１に対向した側辺を指す。
【００２５】
第１の差込み片５１及び第２の差込み片５２の側辺方向長さ５１Ｌ，５２Ｌは、特に限定されないが、本実施形態では本体２及び取っ手部３の長さ２Ｌ，３Ｌと同長に形成されている。
第１の差込み片５１の突出長さ５１Ｗは、床材の厚みと略同じ又は床材の厚みよりも短いことが好ましい。第１の差込み片５１の突出長さ５１Ｗが床材の厚みよりも長いと、第１の差込み片５１を床材の端面間に差し入れたときに、第１の差込み片５１の先端部が下地面に当たり、本体２の下面２ａが床材の表面から浮いてしまうからである。
第１の差込み片５１の具体的な突出長さ５１Ｗは、例えば、１ｍｍ〜５ｍｍであり、好ましくは１ｍｍ〜３ｍｍである。
【００２６】
第２の差込み片５２の突出長さ５２Ｗは、第２の差込み片５２を床材の端面と壁面の間に差し入れることができる長さに設定される。
第２の差込み片５２の具体的な突出長さ５２Ｗは、１ｍｍ〜５ｍｍであり、好ましくは１ｍｍ〜３ｍｍである。
【００２７】
第１の差込み片５１の厚みは、床材の端面間に設ける予定の目地の幅を考慮して適宜設定できる。本発明の目地調整具１が合成樹脂製の床材の目地を調整するために使用される場合には、前記第１の差込み片５１の厚みは、例えば、０．０５ｍｍ〜１．０ｍｍであり、好ましくは０．１ｍｍ〜０．５ｍｍであり、より好ましくは０．１ｍｍ〜０．３ｍｍである。
【００２８】
また、第２の差込み片５２の厚みは、床材の端面と壁面の間に設ける予定の目地の幅を考慮して適宜設定できる。本発明の目地調整具１が合成樹脂製の床材の目地を調整するために使用される場合には、前記第２の差込み片５２の厚みは、例えば、０．１ｍｍ〜２ｍｍであり、好ましくは０．２ｍｍ〜１．０ｍｍであり、より好ましくは０．２ｍｍ〜０．５ｍｍである。第１の差込み片５１の厚みと第２の差込み片５２の厚みが異なるのは、一般に、床材の端面間の目地幅よりも床材の端面と壁面の間の目地幅の方が少し広くなるように設定することが好ましいからである。
【００２９】
第１の差込み片５１の一面と本体２の下面２ａの成す角αは、鈍角とされ、好ましくは９０度を超え１１０度以下とされ、より好ましくは９０度を超え１００度以下とされ、さらに好ましくは９０度を超え９５度以下とされている。第１の差込み片５１と本体２の下面２ａの成す角αが鈍角とされていることにより、後述するように床材を押し込み過ぎると目地調整具１の本体２の下面２ａが床材から浮き上がるので、床材の押し込み過ぎを目視によって確認できる。
尚、前記角αが９０度に近づくに従って床材の押し込み過ぎが判り難くなるが、他方、前記角αが１８０度に近づくに従って第１の差込み片５１の鈍角の度合いが大きくなるため、目地幅を正確に調整できなくなるおそれがあるので、前記角αは、９０度を超え１１０度以下とされていることが好ましい。
【００３０】
上記目地調整具１の材質は、特に限定されず、硬質の合成樹脂、金属などが挙げられる。
また、本実施形態では、合成樹脂又は金属を用いて、本体２、取っ手部３及び第２の差込み片５２が一体的に形成され、合成樹脂又は金属を用いて形成された別体の帯板を取っ手部３の正面３ａの下方部に接着することによって、第１の差込み片５１が本体２に設けられている。
【００３１】
次に、上記目地調整具１の使用方法を説明する。
上記目地調整具１を使用すれば、床材の端面間の目地及び床材の端面と壁面の間の目地をそれぞれ調整できる。
本発明の目地調整具１は、熱や水分などによって僅かに伸張する床材を敷設する際に使用することが好ましい。このような床材は経時的に伸張するので、目地を設けて床材を敷設する必要があるからである。
【００３２】
尚、目地とは、床材の端面間に又は床材の端面と壁面の間における僅かな隙間をいう。
目地の幅は、特に限定されないが、合成樹脂製の床材の場合には、床材の端面間の目地の幅は、０．１ｍｍ〜０．３ｍｍ程度、床材の端面と壁面の間の目地の幅は、０．３ｍｍ〜０．５ｍｍ程度とされる。
【００３３】
床材としては、上記のように経時的に伸張するようなものであれば特に限定されず、代表的には従来公知の合成樹脂製の床材が挙げられる。
床材の厚みも特に限定されず、一般的には、１ｍｍ〜８ｍｍ程度である。このように比較的薄い床材の場合、目地の幅が広すぎると目立と、逆にそれが狭すぎると浮き上がりが生じやすい。本発明の目地調整具１は、このような床材に特に好適に使用することができる。
また、床材の平面視形状は、一般的には、正方形のものが使用されるが、長方形、三角形、六角形などでもよい。本発明の目地調整具１は、直線状に延びる端面を有する床材であって端面同士を突き合わせて敷設される床材に対して使用でき、そのような床材であればその平面形状は限定されない。なお、床材が正方形である場合、その一辺は、２５０ｍｍ〜７５０ｍｍ程度が挙げられる。
特に、縦８００ｍｍ〜１０００ｍｍ、横１００ｍｍ〜２００ｍｍの長方形の床材においては、長手方向に伸張し易いので、浮き上がりが生じやすくなる。本発明の目地調整具１は、このような長方形の床材に特に好適に使用することができる。
【００３４】
図３及び図４は、上記目地調整具１を用いて床材の端面間に目地を設けるときの施工例を示している。
下地面に敷設された第１床材７１の端面７１ａに目地調整具１の第１の差込み片５１の一面を当てつつ、第１床材７１の表面に目地調整具１の本体２の下面２ａを載置する。次に、第２床材７２の端面７２ａが前記第１の差込み片５１の先端部に当たるように第２床材７２を突き合わせて敷設する。
上記目地調整具１においては、第１の差込み片５１が本体２の下面２ａに対して鈍角状に突出している。第１の差込み片５１は、第１床材７１の端面７１ａ及び第２床材７２の端面７２ａに対して僅かに傾斜した状態で、第１床材７１の端面７１ａと第２床材７２の端面７２ａの間に介在される。
【００３５】
その後、取っ手部３を摘んで上方に引き上げることにより、第１の差込み片５１を第１床材７１と第２床材７２の端面７２ａ間から抜くことができる。第１の差込み片５１を抜いた後には、第１床材７１の端面７１ａと第２床材７２の端面７２ａの間に所定幅の目地が確保されている。なお、上記のように第１の差込み片５１は第１床材７１の端面７１ａ及び第２床材７２の端面７２ａに対して僅かに傾斜して介在されているので、前記端面間の目地の幅は、第１の差込み片５１の厚みよりも若干広くなる。
上記角αが１８０度に近づくに従って第１の差込み片５１の鈍角の度合いが大きくなるため、目地の幅は第１の差込み片５１の厚みよりも広くなっていく。従って、目地の幅をより正確に調整する必要がある場合には、前記角αを９０度に近づけることが好ましい。
【００３６】
本発明の目地調整具１は、第１の差込み片５１が突設された本体２の第１側辺２１に沿って、取っ手部３が上方に突設されているので、取っ手部３を容易に摘むことができる上、この取っ手部３を引き上げれば第１の差込み片５１が端面７１ａ，７２ａ間から抜けて目地調整具１を床材から取り外すことができる。
また、本発明の目地調整具１は、第１の差込み片５１が本体２の下面２ａに対して鈍角状に突出されているので、第２床材７２を第１床材７１側に押し込みすぎると、図５に示すように、第１床材７１の端面７１ａと第１の差込み片５１の一面が平行になって本体２の下面２ａが第１床材７１の表面から浮き上がる。
【００３７】
前記角αが１８０度に近づくに従って第１の差込み片５１の鈍角の度合いが大きくなるため、それに応じて、第２床材７２を第１床材７１側に押し込みすぎた場合の本体２の下面２ａの浮き上がりが大きくなる。従って、第２床材７２の押し込みすぎをより鋭敏に視認したい場合には、第１の差込み片５１の鈍角の度合いを大きくすることが好ましい。
【００３８】
このように目地調整具１の本体２が上方に動くと、第２床材７２の押し込み量が多いことを目視で確認できるので、床材を押し込み過ぎることなく、設定された所定幅の目地を床材の端面間に確実に設けることができる。
本発明の目地調整具１は、簡易な構造であり、使用方法も簡便であるので、熟練者でない施工者でも所定幅の目地を確保しながら床材を敷設できる。
【００３９】
なお、図４に示すように、第１床材７１の表面に本体２の下面２ａを載せると、取っ手部３が床材の表面に対して起立した状態で立ち上がるので、この取っ手部３の背面３ｂ又は／及び正面３ａが施工者の目に止まりやすい。このため、取っ手部３の背面３ｂ又は／及び正面３ａに、例えば「床材の端面用」などの表示を行っておけば、「床材の端面間の目地を設けるときには本体の下面を床材の表面に載せる」という使用方法を施工者に伝えることができるので、使用方法の勘違いを防止できる。よって、施工時の間違いを減らし、作業効率を向上させることが可能となる。
【００４０】
次に、図６及び図７は、上記目地調整具１を用いて床材の端面と壁面の間に目地を設けるときの施工例を示している。
具体的には、壁面に配置する床材７３の端面７３ａと壁面９の間に目地調整具１の第２の差込み片５２を介在させ、床材７３の表面に目地調整具１の取っ手部３の正面３ａを対面させる。上記目地調整具１は、取っ手部３と本体２が鋭角状に連設されているので、取っ手部３の正面３ａの全体が床材７３の表面に当接せず、取っ手部３の第１側辺３１が床材７３の表面に接し、取っ手部３の正面３ａは床材７３の表面から浮いている。
【００４１】
第２の差込み片５２を介在させた状態で床材７３を壁面９側に押し込むことにより、第２の差込み片５２の一面が壁面９に当接し且つ第２の差込み片５２の他面が床材７３の端面７３ａに当接する。
取っ手部３を床材７３の表面に対面させた状態にあっては、本体２が床材７３の表面に対して立ち上がっている。このため、本体２を容易に摘むことができ、この本体２を引き上げれば第２の差込み片５２が床材７３の端面７３ａと壁面９の間から抜けて目地調整具１を床材から取り外すことができる。
【００４２】
このようにして床材の端面と壁面の間にも、所定幅の目地を確実に設けることができる。一般に、床材の端面と壁面の間の目地幅は、床材の伸長が壁面部に集中する場合があるので、床材の端面間の目地幅よりも少し広くなるように設定することが好ましい。
【００４３】
なお、上記目地調整具１においては、床材７３の表面に取っ手部３の正面３ａを対面させると、本体２が床材７３の表面に対して起立した状態で立ち上がるので、この本体２の下面２ａが施工者の目に止まりやすい。このため、本体２の下面２ａに、例えば「壁面用」などの表示を行っておけば、「床材の端面と壁面の間の目地を設けるときには取っ手部の正面を床材の表面に対面させる」という使用方法を施工者に伝えることができ、使用方法の勘違いを防止できる。
【００４４】
次に、図８は、１枚の床材が嵌り込まない領域に適合するように床材を切断するときの施工例を示す模式図である。尚、図８においては、施工例を判り易く説明するために、床材の長さを短く図示している。
床材は、一般的には、下地面の中央部から壁面方向に順次敷設される。通常、順次床材を敷設していくと、壁面付近には、１枚の床材よりも狭い領域が残ってしまう。本明細書において、この残った領域を、残部領域という。この残部領域に床材を嵌め込むために、残部領域に適合するように１枚の床材を切断する。
【００４５】
この１枚の床材の切断は、次のようにして行うことができる。
残部領域８に直近した敷設済みの床材７４の上に、切断対象の床材７５を一致させて重ね置き、この切断対象の床材７５の上に更に別途の１枚の床材７６を置く。この別途の床材７６は、物指しの代用である。上記図６及び図７と同様に、目地調整具１の第２の差込み片５２を介在させながら、前記別途の床材７６の端面７６ａを壁面９に当てる。次に、別途の床材７６の対辺７６１に沿ってカッターを動かして前記切断対象の長方形床タイルを切断する。そして、切断によって得られた床材片７７（床材片７７を、便宜上薄墨塗りで示している）を残部領域８にスライド移動させ、これを残部領域８に嵌め合わせる。このようにして形成された床材片７７は、残部領域８よりも第２の差込み片５２の厚み分だけ短いので、残部領域８に嵌めた床材片７７の端面と壁面９の間に所定幅の目地を設けることができる。
【００４６】
本発明の床材の目地調整具１は、上記実施形態に限られず、本発明の意図する範囲で様々に設計変更できる。
例えば、上記実施形態においては、第１の差込み片５１が本体２と取っ手部３の連設部分である本体２の第１側辺２１から突設されているが、例えば、図９に示すように、第１の差込み片５１は、本体２の第２側辺２２から下方に向かって突設されていてもよい。この場合、第１の差込み片５１の一面と本体２の下面２ａの成す角αは、上記実施形態と同様に鈍角状であることが好ましい。
【００４７】
さらに、図１０に示すように、第２の差込み片５２の一面と取っ手部３の正面３ａの成す角βが鈍角となるように、第２の差込み片５２が取っ手部３の第２側辺３２から突設されていてもよい。この角βは、好ましくは９０度を超え１１０度以下であり、より好ましくは９０度を超え１００度以下であり、さらに好ましくは９０度を超え９５度以下である。第２の差込み片５２が取っ手部３の正面３ａに対して鈍角状に突設されていることにより、床材の端面と壁面の間に第２の差込み片５２を介在させ且つ取っ手部３の正面３ａを床材の表面に載置して、床材の端面と壁面の間に目地を設けるときに床材を押し込み過ぎると、取っ手部３が床材の表面から浮き上がる。よって、上記実施形態の目地調整具１の第１の差込み片５１を用いて床材の端面間に目地を設ける場合と同様に、床材を押し込み過ぎることなく、設定された所定幅の目地を床材の端面と壁面の間に確実に設けることができる。
【００４８】
なお、上記実施形態では、側辺方向と直交する方向における本体２の長さ２Ｗが側辺方向と直交する方向における取っ手部３の長さ３Ｗよりも長いが、例えば、図１０に示すように、本体２と取っ手部３の前記長さ２Ｗ，３Ｗが略同じであってもよい。
【００４９】
また、上記実施形態において、第１の差込み片５１が本体２の下面２ａに対して鈍角状に突設されているが、例えば、図１１に示すように、第１の差込み片５１の一面と本体２の下面２ａの成す角αが直角となるように、第１の差込み片５１が突設されていてもよい。また、第２の差込み片５２の一面と取っ手部３の正面３ａの成す角βが直角となるように、第２の差込み片５２が突設されていてもよい。
【００５０】
この実施形態の目地調整具１では、床材の押し込み過ぎても本体２や取っ手部３が浮き上がらないので、床材の押し込み過ぎを目視で確認できるという効果を奏しないが、第１の差込み片５１や第２の差込み片５２を用いて目地を設けることができ且つ取っ手部３や本体２を摘んで目地調整具１を容易に取り外すことができるという効果を奏する。また、第１の差込み片５１の一面と本体２の下面２ａの成す角αが直角であると、設けられる目地の幅が第１の差込み片５１の厚みと一致するので、第１の差込み片５１の長さの製造誤差などの要因に影響されることなく、目地の幅を正確に調整することができる。なお、第２の差込み片５２についても同様のことが言える。
【００５１】
また、上記実施形態においては、第１の差込み片５１が本体２の第１側辺２１から突設されているが、例えば、図１２に示すように、第１の差込み片５１が、本体２の下面２ａの面内から下方に向かって突設されていてもよい。この場合、第１の差込み片５１の一面と本体２の下面２ａの成す角αは、直角とされていることが好ましい。
【００５２】
さらに、上記実施形態では、本体２と取っ手部３はそれぞれ平板から構成されているが、平坦状の本体２の下面２ａを有していれば、本体２と取っ手部３は平板に限られず、例えば、図１３に示すように、取っ手部３の第２側辺３２と本体２の第２側辺が繋がった傾斜面を有する側面視三角形状の部材から本体２と取っ手部３が構成されていてもよい。
【００５３】
また、上記実施形態では、取っ手部３に第２の差込み片５２が設けられているが、例えば、この第２の差込み片５２を設けずに、本体２のみに差込み片（第１の差込み片５１）が設けられていてもよい。少なくとも本体２に差込み片が設けられている目地調整具１を用いれば、少なくとも床材の端面間の目地を調整できる。
【００５４】
本体２のみに差込み片５３が設けられる目地調整具１について、図１４に示すように、その差込み片５３は本体２の第２側辺２２から下方に突設されていることが好ましい。かかる目地調整具１によれば、本体２の下面２ａを床材に載置し、その差込み片５３を床材の端面間に介在させることもできるし、その差込み片５３を床材の端面と壁面の間に介在させることもできる。なお、この差込み片５３も、上記実施形態と同様に、本体２の下面２ａとの成す角αが鈍角となるように突設されていることが好ましい。
【００５５】
また、上記実施形態において、取っ手部３は本体２の側辺から突設されているが、例えば、取っ手部３が本体２の上面２ｂの面内から上方に突設されていてもよい。
【産業上の利用可能性】
【００５６】
本発明の床材の目地調整具は、床材の端面間や床材の端面と壁面の間に所定幅の目地を設けるために、床材の施工時に利用できる。
【符号の説明】
【００５７】
１…目地調整具、２…本体、２ａ…本体の下面、２ｂ…本体の上面、２１…本体の第１側辺、２２…本体の第２側辺、３…取っ手部、３ａ…取っ手部の正面、３ｂ…取っ手部の背面、３１…取っ手部の第１側辺、３２…取っ手部の第２側辺、５１…第１の差込み片、５２…第２の差込み片、７１〜７６…床材、７１ａ，７２ａ，７３ａ，７６ａ…床材の端面、９…壁面
【図１】
0005648210.tif 000002
【図２】
0005648210.tif 000003
【図３】
0005648210.tif 000004
【図４】
0005648210.tif 000005
【図５】
0005648210.tif 000006
【図６】
0005648210.tif 000007
【図７】
0005648210.tif 000008
【図８】
0005648210.tif 000009
【図９】
0005648210.tif 000010
【図１０】
0005648210.tif 000011
【図１１】
0005648210.tif 000012
【図１２】
0005648210.tif 000013
【図１３】
0005648210.tif 000014
【図１４】
0005648210.tif 000015